(57)【要約】【課題】セパレータの端部を利用する内装パネルの取り付けで、隣接する内装パネルの隣接箇所と対応してセパレータの端部が配置されていない場合にも内装パネルを取り付けることができ、効率的且つ容易に施工作業を行うことができる。【解決手段】所定間隔を開けて配置される鋼殻１ｂ・１ｂと、鋼殻１ｂ・１ｂ間に設けられ、少なくとも一方の端部２ａが鋼殻１ｂから外側に突出するセパレータ２と、隣接する耐火パネル１０・１０に跨って設けられ、耐火パネル１０の各々に対して定置して取り付けられるパネル支持具７と、セパレータ２の突出する端部２ａに一方の突出片５２が固定され、パネル支持具７に他方の突出片５３が固定される断面視略Ｚ字形状の補助具５とを備える内装パネル取付構造。【選択図】図３
2011157745.tif 000002
【特許請求の範囲】
【請求項１】
所定間隔を開けて配置される鋼殻と、
前記鋼殻間に設けられ、少なくとも一方の端部が前記鋼殻から外側に突出するセパレータと、
隣接する内装パネルに跨って設けられ、前記内装パネルの各々に対して定置して取り付けられるパネル支持具と、
前記セパレータの前記突出する端部に一方の突出片が固定され、前記パネル支持具に他方の突出片が固定される断面視略Ｚ字形状の補助具と、
を備えることを特徴とする鋼殻構造物の内装パネル取付構造。
【請求項２】
前記セパレータの前記突出する端部に形成されている螺子溝と、
前記螺子溝に螺合される一対のナットを備え、
前記突出する端部が貫通する前記一方の突出片を前記一対のナットで挟持することを特徴とする請求項１記載の鋼殻構造物の内装パネル取付構造。
【請求項３】
前記補助具を長尺の棒状とし、
前記鋼殻間に設けられる別のセパレータの前記鋼殻から外側に突出する端部に前記補助具の前記一方の突出片が固定されることを特徴とする請求項１又は２記載の鋼殻構造物の内装パネル取付構造。
【請求項４】
所定間隔を開けて配置される鋼殻と、前記鋼殻間に設けられ、少なくとも一方の端部が前記鋼殻から外側に突出するセパレータから構成される鋼殻構造物に対し、隣接する内装パネルに跨って設けられ、前記内装パネルの各々に対して定置して取り付けられるパネル支持具を定置する際に、
断面視略Ｚ字形状の補助具の一方の突出片を前記セパレータの前記突出する端部に固定すると共に、前記補助具の他方の突出片を前記パネル支持具に固定する工程を備えることを特徴とする鋼殻構造物の内装パネル施工方法。
【発明の詳細な説明】
【技術分野】
【０００１】
本発明は、所定間隔を開けて配置される鋼殻間にセパレータが設けられる鋼殻構造物に内装パネルを取り付ける鋼殻構造物の内装パネル取付構造及び内装パネル施工方法に関する。
【背景技術】
【０００２】
従来、所定間隔を開けて配置される鋼殻間にセパレータが設けられる鋼殻構造物として鋼殻沈埋トンネルが知られている。鋼殻沈埋トンネルは、所定間隔を開けて配置される鋼殻をセパレータで連結することにより、内外二重の鋼殻を有する箱状の鋼殻体を構成し、この鋼殻体を成形用型枠として両側の鋼殻間にコンクリートやモルタル等の固結材を充填してトンネル構造体を構成し、このトンネル構造体を海底等に順次沈下させて接続することにより、長尺のトンネル空間を形成するものである。
【０００３】
このような鋼殻沈埋トンネルの内面には、耐火パネル等の内装パネルを取り付けることが一般的に行われている。鋼殻沈埋トンネルの内面への内装パネルの取り付けは、例えば特許文献１のようにセパレータの端部を利用して行われることがある。この取付構造では、トンネル空間側に突出するセパレータの端部に左右対称の断面視Ω字形状の補助金具が固定され、その補助金具の両端部にコ字形基部の両側に差込片を有するパネル支持金具が固定され、支持金具の差込片を内装パネルの背面とその背面に設けた係止金具との間に挿入嵌合されている。
【先行技術文献】
【特許文献】
【０００４】
【特許文献１】特開２００８−８２０５２号公報
【発明の概要】
【発明が解決しようとする課題】
【０００５】
ところで、上記鋼殻沈埋トンネルの内面への内装パネルの取り付けは、隣接する内装パネルの隣接箇所と対応してセパレータの端部が配置されることが必要になるが、セパレータは鋼殻体を製造する時点ですでに配置が決まっているため、後から変更することはできない。そのため、セパレータを利用する内装パネルの取り付けで、セパレータが丁度良い位置に配置されていない場合にも、効率的且つ容易に施工作業を行うことができる構成が求められている。
【０００６】
本発明は上記課題に鑑み提案するものであって、セパレータの端部を利用する内装パネルの取り付けで、隣接する内装パネルの隣接箇所と対応してセパレータの端部が配置されていない場合にも内装パネルを取り付けることができ、効率的且つ容易に施工作業を行うことができる鋼殻構造物の内装パネル取付構造及び内装パネル施工方法を提供することを目的とする。
【課題を解決するための手段】
【０００７】
本発明の鋼殻構造物の内装パネル取付構造は、所定間隔を開けて配置される鋼殻と、前記鋼殻間に設けられ、少なくとも一方の端部が前記鋼殻から外側に突出するセパレータと、隣接する内装パネルに跨って設けられ、前記内装パネルの各々に対して定置して取り付けられるパネル支持具と、前記セパレータの前記突出する端部に一方の突出片が固定され、前記パネル支持具に他方の突出片が固定される断面視略Ｚ字形状の補助具とを備えることを特徴とする。
前記構成では、断面視略Ｚ字形状の補助具を用いることにより、セパレータの端部を利用する内装パネルの取り付けで、隣接する内装パネルの隣接箇所と対応してセパレータの端部が配置されていない場合にも内装パネルを取り付けることができ、効率的且つ容易に施工作業を行うことができる。特に、一体型の断面視略Ｚ字形状の補助具を用いる場合には、ブラケットやブラケットと補助具を固定するボルト、ナット等を不要とすることができ、部品点数を減らし、より一層効率的且つ容易な施工作業が可能となる。
【０００８】
本発明の鋼殻構造物の内装パネル取付構造は、前記セパレータの前記突出する端部に形成されている螺子溝と、前記螺子溝に螺合される一対のナットを備え、前記突出する端部が貫通する前記一方の突出片を前記一対のナットで挟持することを特徴とする。
前記構成では、一対のナットの螺合で補助具の一方の突出片を挟持することにより、セパレータ端部における一対のナットの螺合位置を調整して補助具の取付位置を調整し、内装パネルの設置位置を調整することが可能となる。
【０００９】
本発明の鋼殻構造物の内装パネル取付構造は、前記補助具を長尺の棒状とし、前記鋼殻間に設けられる別のセパレータの前記鋼殻から外側に突出する端部に前記補助具の前記一方の突出片が固定されることを特徴とする。
前記構成では、長尺の棒状の補助具とすることにより、パネル支持具による内装パネルの広い範囲の支持位置に対応することができる。また、補助具を一のセパレータの端部と別のセパレータの端部とに架橋するように設けることが可能であるから、補助具を高強度で安定して取り付けることができる。
【００１０】
また、本発明の鋼殻構造物の内装パネル施工方法は、所定間隔を開けて配置される鋼殻と、前記鋼殻間に設けられ、少なくとも一方の端部が前記鋼殻から外側に突出するセパレータから構成される鋼殻構造物に対し、隣接する内装パネルに跨って設けられ、前記内装パネルの各々に対して定置して取り付けられるパネル支持具を定置する際に、断面視略Ｚ字形状の補助具の一方の突出片を前記セパレータの前記突出する端部に固定すると共に、前記補助具の他方の突出片を前記パネル支持具に固定する工程を備えることを特徴とする。
前記構成では、断面視略Ｚ字形状の補助具を用いて施工することにより、セパレータの端部を利用する内装パネルの取り付けで、隣接する内装パネルの隣接箇所と対応してセパレータの端部が配置されていない場合にも内装パネルを取り付けることができ、効率的且つ容易に施工作業を行うことができる。特に、一体型の断面視略Ｚ字形状の補助具を用いる場合には、ブラケットやブラケットと補助具を固定するボルト、ナット等を不要とすることができ、部品点数を減らし、より一層効率的且つ容易な施工作業が可能となる。
【発明の効果】
【００１１】
本発明の鋼殻構造物の内装パネル取付構造或いは、内装パネル施工方法は、断面視略Ｚ字形状の補助具を用いることにより、セパレータの端部を利用する内装パネルの取り付けで、隣接する内装パネルの隣接箇所と対応してセパレータの端部が配置されていない場合にも内装パネルを取り付けることができ、効率的且つ容易に施工作業を行うことができる。
【図面の簡単な説明】
【００１２】
【図１】本発明による第１実施形態の鋼殻構造物の内装パネル取付構造が適用される鋼殻構造物（鋼殻沈埋トンネル）の横断正面図。
【図２】（ａ）〜（ｃ）は図１のａ〜ｃ部の拡大図。
【図３】図２（ｂ）及び図２（ｃ）のｄ部の拡大図。
【図４】図３のＡ−Ａ線矢視断面図。
【図５】第１変形例の鋼殻構造物の内装パネル取付構造における図３に相当する部位の拡大図。
【図６】図５のＢ−Ｂ線矢視断面図。
【図７】第２変形例の鋼殻構造物の内装パネル取付構造における図３に相当する部位の拡大図。
【図８】図７のＣ−Ｃ線矢視断面図。
【図９】第１実施形態の変形例の図２（ｂ）及び図２（ｃ）のｄ部に相当する部位の拡大図。
【図１０】第３変形例の鋼殻構造物の内装パネル取付構造における図３に相当する部位の拡大図。
【図１１】図１０のＤ−Ｄ線矢視断面図。
【発明を実施するための形態】
【００１３】
〔第１実施形態の鋼殻構造物の内装パネル取付構造及び内装パネル施工方法〕
本発明による第１実施形態の鋼殻構造物の内装パネル取付構造及び内装パネル施工方法について説明する。図１は第１実施形態の鋼殻構造物の内装パネル取付構造が適用される鋼殻構造物（鋼殻沈埋トンネル）の横断正面図、図２（ａ）〜（ｃ）は図１のａ〜ｃ部の拡大図。図３は図２（ｂ）及び図２（ｃ）のｄ部の拡大図、図４は図３のＡ−Ａ線矢視断面図である。
【００１４】
第１実施形態の鋼殻構造物の内装パネル取付構造が設けられる鋼殻構造物は、図１及び図２に示す鋼殻沈埋トンネル１であり、鋼殻沈埋トンネル１では、鋼板等で形成した断面長方形状の外側の鋼殻１ａ内に、鋼板等で形成した複数個の鋼殻１ｂを、それぞれ所定の間隔をおいて配置し、その内外方向及び横方向で隣り合う鋼殻１ｂ・１ａ、鋼殻１ｂ・１ｂ間にコンクリートやモルタル等の固結材１ｃを充填し、内部にトンネル空間Ｓ１〜Ｓ５を有するトンネル構造体Ｔを構成している。そして、トンネル構造体Ｔを海底等に順次沈下させ、これを連結ボルト等で順次接続してトンネル空間Ｓ１〜Ｓ５をそれぞれ連続させ、鋼殻沈埋トンネル１が形成される。
【００１５】
内外方向及び横方向で隣り合う鋼殻１ｂ・１ａ、鋼殻１ｂ・１ｂ間には、図２〜図４に示すように、棒状のセパレータ２が設けられており、セパレータ２は、鋼殻１ｂ或いは鋼殻１ａの面方向の縦横に所定間隔をおいて多数設けられている。各セパレータ２には、両側の端部２ａ・２ａにそれぞれ雄ねじとなる所定長さの螺子溝２ｂが形成されている。鋼殻１ｂ・１ａ間に設けられるセパレータ２では、一方の端部２ａが一方側の鋼殻１ｂを貫通して外側であるトンネル空間側に突出し、その螺子溝２ｂにナット４が螺合され、ナット４で鋼殻１ｂを外側から押さえていると共に、他方の端部２ａが他方側の鋼殻１ａに溶接等で固着されたナット３にねじ込まれている。また、鋼殻１ｂ・１ｂ間に設けられるセパレータ２では、一方の端部２ａが一方側の鋼殻１ｂを貫通して外側であるトンネル空間側に突出していると共に、他方の端部２ａが他方側の鋼殻１ｂを貫通して外側であるトンネル空間側に突出しており、後述する補助具５が設けられる端部２ａ以外では、各端部２ａの螺子溝２ｂにそれぞれナット４が螺合され、ナット４で鋼殻１ｂを外側から押さえている。
【００１６】
尚、隣り合う鋼殻１ｂ・１ａ間、鋼殻１ｂ・１ｂ間に設けられるセパレータ２では、固結材１ｃの充填及び固結が完了する前においては、前記補助具が設けられる端部２ａも含め、全ての前記突出している端部２ａでナット４が鋼殻１ｂを外側から押さえ、鋼殻１ｂ・１ａ、鋼殻１ｂ・１ｂを互いに連結固定して所定の間隔に保持するようになっている。このセパレータ２による間隔保持により、固結材１ｃを充填する際の圧力で鋼殻１ｂ、１ａがトンネル空間Ｓ１〜Ｓ５側又はトンネル構造体Ｔの外側に孕み出すことを防止している。固結材１ｃの充填及び固結の完了後には、前記補助具５が設けられる端部２ａのナット４を弛めることが可能となる。
【００１７】
更に、所定位置の鋼殻１ｂ・１ｂ間に設けられるセパレータ２の端部２ａには補助具５が設けられる。補助具５は、所要強度を有する金属製等で、断面視略Ｚ字形状の長尺の棒状部材であり、基板５１と、基板５の幅方向の一方の端縁から略直角に屈曲して突出する一方の突出片５２と、基板５の幅方向の前記一方の端縁と逆側の端縁から略直角に屈曲して突出する他方の突出片５３とから構成される。補助具５の一方の突出片５２、他方の突出片５３には図示省略する貫通穴が所定間隔でそれぞれ形成されており、一方の突出片５２はセパレータ２の端部２ａを前記貫通穴に貫通させて、ナット４及びこれと当接するワッシャー４１の外側で端部２ａにはめられ、又、他方の突出片５３は後述するパネル支持具７に沿って配設される。
【００１８】
セパレータ２の端部２ａにおける補助具５の一方の突出片５２の外側には、ワッシャー６１を介してナット６が螺子溝２ｂに螺合して設けられ、一方の突出片５２は一対のナット４、６で挟持されて端部２ａに固定される。また、この補助具５の一方の突出片５２は、セパレータ２と並列配置されている鋼殻１ｂ・１ｂ間に設けられる別のセパレータ２の端部２ａにもはめられ、一対のナット４、６で挟持する同様の構成で固定されるようになっており、換言すれば補助具５はセパレータ２・２の端部２ａ・２ａ或いは３個以上のセパレータ２の端部２ａに架橋するようにして設けられる。
【００１９】
補助具５の他方の突出片５３にはパネル支持具７が取り付けられ、又、このパネル支持具７は、隣接する耐火パネル１０に跨って設けられ、耐火パネル１０の各々に対して定置して取り付けられる。パネル支持具７は、所要強度を有する金属製等で、断面視略Ω字形状の部材であり、取付基板７１と、取付基板７１の両側端縁からそれぞれ略直角に屈曲して延びる突出部７２、７２と、突出部７２、７２の各端縁から略直角に屈曲して外側に延びる差込片７３、７３とから構成される。取付基板７１には、補助具５の他方の突出片５３の貫通穴に対応する貫通穴（図示省略）が設けられており、取付基板７１を補助具５の他方の突出片５３に沿うように配置し、前記貫通穴にボルト８を挿入してナット９を螺合することにより、補助具５の他方の突出片５３とパネル支持具７とが固定される。
【００２０】
そして、本実施形態では、図１の左右両側の非常用通路として用いられるトンネル空間Ｓ１、Ｓ５を除くトンネル空間Ｓ１〜Ｓ４の内面に、内装パネルである耐火パネル１０を取り付ける。尚、トンネル空間の内面の底部に、道路等を形成するためにコンクリートを打設する場合には、コンクリートがトンネル構造体Ｔの耐火被覆を兼ねるので、底部には耐火パネル１０を取り付ける必要はない。
【００２１】
耐火パネル１０には、パネル支持具７の取付位置に対応して背面側の四隅に係止具１１が１つずつ設けられている。係止具１１は、全体として略帯板状に形成され、その長手方向の両端部に厚さ方向に段差状に屈曲形成された取付部１１ａが設けられている。取付部１１ａには図示省略する取付穴が形成されており、この取付穴にボルト１２を挿通し、耐火パネル１０内に埋設したインサートナット１３にねじ込むことにより、係止具１１が耐火パネル１０に取り付けられている。係止具１０の長手方向の中央部と耐火パネル１０との間にはスリット状の隙間が形成され、その隙間内にパネル支持具７の差込片７３、７３を差し込んで、耐火パネル１０を係合保持させるようになっている。
【００２２】
この内装パネル取付構造を構成する或いは内装パネルである耐火パネル１０を施工する際には、連結されたトンネル構造体Ｔに対し、断面視略Ｚ字形状の補助具５が設けられる端部２ａにおいて、端部２ａに螺合されているナット４を弛め、端部２ａに一方の突出片５２をはめ、その端部２ａに一方の突出片５２の外側からワッシャー６１を介してナット６を螺合し、補助具５の一方の突出片５２をセパレータ２の突出する端部２ａに固定し、同様に並列配置の別のセパレータ２の端部２ａにも同様に固定すると共に、上述の如く、補助具５の他方の突出片５３にパネル支持具７に固定する。そして、パネル支持具７の差込片７３・７３を隣接配置される耐火パネル１０・１０の隙間に差し込むことにより、耐火パネル１０を取り付ける。
【００２３】
本実施形態では、一体型の断面視略Ｚ字形状の補助具５を用いることにより、セパレータ２の端部２ａを利用する内装パネルである耐火パネル１０の取り付けで、隣接する耐火パネル１０・１０の隣接箇所と対応してセパレータ２の端部２ａが配置されていない場合にも耐火パネル１０を取り付けることができると共に、ブラケットやブラケットと補助具を固定するボルト、ナット等を不要とすることができ、部品点数を減らし、効率的且つ容易な施工作業を可能にする。また、一対のナット４・６の螺合で補助具５の一方の突出片５２を挟持することにより、セパレータ端部２ａにおける一対のナット４、６の螺合位置を調整して補助具５の取付位置を調整し、耐火パネル１０の設置位置を調整することが可能となる。また、長尺の棒状の補助具５とすることにより、パネル支持具７による耐火パネル１０の広い範囲の支持位置に対応することができる。また、補助具５を一のセパレータ２の端部２ａと別のセパレータ２の端部２ａとに架橋するように設けることが可能であるから、補助具５を高強度で安定して取り付けることができる。
【００２４】
〔実施形態の変形例等〕
本明細書開示の発明には、各発明や実施形態等の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、例えば下記のような変形例も包含される。
【００２５】
例えば補助具５の他方の突出片５３とパネル支持具７の取付基板７１を固定する際に、上記実施形態の通常のボルト８及びナット９を用いる構成に代え、図５及び図６の第１変形例に示すように、ねじ部の長さ方向中間部に段落とし非ねじ部を有するセーフティーボルト８ａと、弛み止め機能を有するクリップナット９ａとを用いる構成としてもよい。また、図７及び図８に示す第２変形例のように、第１変形例における一方の耐火パネル１０に係止具１１を設けて、パネル支持具７の差込片７３を挿入する構成に代え、差込片７３或いはこれに相当する部位に、耐火パネル１０のインサートナット１３にねじ込まれたセーフティーボルト１２ａを貫通させ、セーフティーボルト１２ａとナット１４で挟持固定する構成としてもよい。
【００２６】
また、上記実施形態では、補助具５を設けるセパレータ２の端部２ａにおいて、ナット４を弛めて補助具５の固定に用いる構成としたが、例えば別のナットをナット４の外側に螺合し、この別のナットとナット６を螺合して補助具５の一方の突出片５２を挟持する構成等とし、セパレータ２による鋼殻１ｂ・１ｂ、鋼殻１ｂ・１ａの間隔保持状態を維持するようにすることも可能である。また、棒状のセパレータ２は全周に亘って螺子溝を有する全ねじボルトとしてもよい。また、係止具１１は補助具５及びパネル支持具７を介して取り付け可能な位置であれば耐火パネル１０の適宜の位置に設けることが可能である。また、内装パネルは耐火パネル１０以外の各種の内装パネルとすることが可能である。
【００２７】
また、図９に示す第１実施形態の変形例として、セパレータ２の一方の端部２ａが一方側の鋼殻１ｂを貫通して外側であるトンネル空間側に突出し、その突出部分に角座金２００と補助具５の一方の突出片５２がはめられ、更に、より端部側の螺子溝２ｂにワッシャー６１を介してナット６が螺合され、ナット６で鋼殻１ｂが外側から押さえられる構成としてもよい。この例では、セパレータ２に角座金２００を有する鋼殻１ｂにおいて防錆剤が塗布されている場合に、セパレータ２の角座金２００がついた状態を維持し、防錆剤のない箇所が生ずることを防止できると共に、角座金２００の取り外しの手間をなくすことができる。
【００２８】
さらに、断面視略Ｚ字形状の補助具５として、図１０及び図１１に示すように、別体型の補助金具を組み合わせる構成とすることも可能である。図１０及び図１１に示す変形例では、補助具５として断面視Ｌ字形状で短尺のブラケット１０２と断面視Ｌ字形の長尺の補助金具１０５を組み合わせて用い、パネル支持金具１０７を所要位置に配置するようにしている。具体的な構造では、鋼殻１０１及びブラケット１０２の一片１０２ａ（一方の突出片に相当）を貫通して設けられる棒状のセパレータ１０３の端部１０３ａにワッシャー１０４ａを介してナット１０４ｂが螺合され、鋼殻１０１とナット１０４ｂで付勢されているワッシャー１０４ａとでブラケット１０２の一片１０２ａが挟持されている。ブラケット１０２の他片１０２ｂには補助金具１０５の一片１０５ａが重ねて配置され、これらを貫通するボルト１０６ａ及びワッシャー１０６ｂを介するナット１０６ｃで螺着されている。補助金具１０５の他片１０５ｂ（他方の突出片に相当）にはパネル支持金具１０７の基部１０７ａが重ねて配置され、これらを貫通するボルト１０８ａ及びワッシャー１０８ｂを介するナット１０８ｃで螺着されている。パネル支持金具１０７の両側の差込片１０７ｂ、１０７ｂは、それぞれ隣接する内装パネル１０９の背面とその背面にボルト１１０で固定されている係止金具１１１との間に挿入嵌合される。
【産業上の利用可能性】
【００２９】
本発明は、鋼殻沈埋トンネル等の鋼殻構造物に内装パネルを取り付ける場合に利用することができる。
【符号の説明】
【００３０】
１…鋼殻沈埋トンネル  １ａ、１ｂ、１０１…鋼殻  １ｃ…固結材  ２…棒状のセパレータ  ２ａ、１０３ａ…端部  ２ｂ…螺子溝  ３、４、６、９、１４、１０４ｂ、１０６ｃ、１０８ｃ…ナット  ４１、６１、１０４ａ、１０６ｂ、１０８ｂ…ワッシャー  ５…補助具  ５１…基板  ５２…一方の突出片  ５３…他方の突出片  ７…パネル支持具  ７１…取付基板  ７２…突出部  ７３…差込片  ８、１２、１１０、１０６ａ、１０８ａ…ボルト  １０…耐火パネル  １１、１１１…係止具  １１ａ…取付部  １３…インサートナット  ８ａ、１２ａ…セーフティーボルト  ９ａ…クリップＫナット  １０２…ブラケット  １０２ａ、１０５ａ…一片  １０２ｂ、１０５ｂ…他片  １０３…セパレータ  １０５…補助金具  １０７…パネル支持金具  １０７ａ…基部  １０７ｂ…差込片  １０９…内装パネル  ２００…角座金  Ｔ…トンネル構造体  Ｓ１〜Ｓ５…トンネル空間
【図１】
2011157745.tif 000003
【図２】
2011157745.tif 000004
【図３】
2011157745.tif 000005
【図４】
2011157745.tif 000006
【図５】
2011157745.tif 000007
【図６】
2011157745.tif 000008
【図７】
2011157745.tif 000009
【図８】
2011157745.tif 000010
【図９】
2011157745.tif 000011
【図１０】
2011157745.tif 000012
【図１１】
2011157745.tif 000013